(57)【要約】【課題】秘密保持を確実に行うことができる上に、利用し易い電話帳データを備えた通信端末装置を提供すること。【解決手段】この携帯電話機１は、記憶部１０１と、制御部１０５と、無線部１０６と、アンテナ１０７と、表示部１０８と、操作部１０９と、音声入出力部１１０と、データ通信部１１１を備える。記憶部１０１は、電話帳データ１０３を記憶する電話帳メモリ１０２を有し、電話帳データ１０３は、登録番号、名前、電話番号、表示制御情報、出力制御情報及び暗証番号を格納する。携帯電話機１が着信する際、相手の電話番号に対応する電話帳データ１０３の表示制御情報が禁止に設定されている場合、電話番号の表示部１０８への表示を禁止する。したがって、表示部１０８が他人に視認されて、個人的な情報である電話番号が他人に知られる不都合を防止できる。【選択図】図１
2008148079.tif 000002
【特許請求の範囲】
【請求項１】
通信を行う通信部と、
少なくとも名前と、電話番号と、表示制御情報とを有する電話帳データを記憶する記憶部と、
情報を表示する表示部と、
上記通信部が所定の電話番号の相手と通信を行う際、この電話番号に対応する表示制御情報が禁止に設定されている場合、この電話番号の上記表示部への表示を禁止する通信表示禁止制御を行う制御部と、
を備えることを特徴とする通信端末装置。
【請求項２】
上記制御部は、
上記通信部が上記所定の電話番号に発信する際、上記通信表示禁止制御を行うことを特徴とする請求項１に記載の通信端末装置。
【請求項３】
上記制御部は、
上記通信部が上記所定の電話番号から着信する際、上記通信表示禁止制御を行うことを特徴とする請求項１に記載の通信端末装置。
【請求項４】
上記制御部は、
上記通信表示禁止制御を行う場合、電話番号が表示されないことを示す代替情報を上記表示部に表示させることを特徴とする請求項１に記載の通信端末装置。
【請求項５】
上記電話帳データの内容を編集する編集部を備え、
上記制御部は、
上記電話帳データの内容が編集部によって編集される際、この電話帳データの表示制御情報が禁止に設定されている場合、この電話帳データの電話番号の上記表示部への表示を禁止することを特徴とする請求項１に記載の通信端末装置。
【請求項６】
上記制御部は、
上記電話帳データの内容が編集部によって編集される際、この電話帳データの表示制御情報が禁止に設定されている場合、この電話帳データの電話番号の変更を禁止することを特徴とする請求項５に記載の通信端末装置。
【請求項７】
上記制御部は、
上記電話帳データの内容が編集部によって編集される際、この電話帳データの表示制御情報が禁止に設定されている場合、この電話帳データの名前が空白の状態で編集が終了することを禁止することを特徴とする請求項５に記載の通信端末装置。
【請求項８】
上記制御部は、
上記電話帳データの内容が編集部によって編集される際、
この電話帳データの表示制御情報が禁止に設定されている場合、この電話帳データの電話番号の変更に伴って新たな電話帳データを生成し、
この新たな電話帳データの表示制御情報が禁止に設定されている場合、この新たな電話帳データの名前が空白の状態で編集が終了することを禁止することを特徴とする請求項５に記載の通信端末装置。
【請求項９】
上記電話帳データの内容を編集する編集部と、
暗証番号を記憶する暗証番号記憶部と、
暗証番号が入力される暗証番号入力部と、を備え、
上記制御部は、
上記編集部で電話帳データの表示制御情報を変更する旨の指令を受けた際、上記暗証番号入力部への暗証番号の入力を促し、この暗証番号入力部に入力された暗証番号が上記暗証番号記憶部に予め記憶された暗証番号と一致しない場合、上記表示制御情報の変更を禁止することを特徴とする請求項１に記載の通信端末装置。
【請求項１０】
上記電話帳データの内容を外部に出力する出力部を備え、
上記電話帳データは出力制御情報を有し、
上記制御部は、
上記出力制御情報が禁止に設定されている場合、上記出力部による上記電話帳データの内容の外部への出力を禁止することを特徴とする請求項１に記載の通信端末装置。
【請求項１１】
使用者の少なくとも名前と電話番号とを有する自局データが記憶された自局データ記憶部と、
上記自局データ記憶部に記憶された自局データに表示制御情報を付加し、この表示制御情報を禁止に設定して自局電話帳データを作成する自局電話帳データ作成部と、
上記自局電話帳データの内容を外部に出力する自局データ出力部と、
を備えることを特徴とする請求項１に記載の通信端末装置。
【請求項１２】
使用者の少なくとも名前と電話番号とを有する自局データが記憶された自局データ記憶部と、
上記自局データ記憶部に記憶された自局データに出力制御情報を付加し、この出力制御情報を禁止に設定して自局電話帳データを作成する自局電話帳データ作成部と、
上記自局電話帳データの内容を外部に出力する自局データ出力部と、
を備えることを特徴とする請求項１０に記載の通信端末装置。
【発明の詳細な説明】
【技術分野】
【０００１】
本発明は、例えば携帯電話機等の通信端末装置に関し、特に、個人的な情報の漏洩を効果的に防止できる通信端末装置に関する。
【背景技術】
【０００２】
従来、携帯電話機では、名前と電話番号を内容とする電話帳データが使用者によって設定され、発信時や着信時に、電話帳データに設定された発信先や着信先の電話番号を表示装置に表示している。また、電話帳データに設定された名前が入力されると、この名前に対応する電話番号を表示装置に表示している。
【０００３】
このような電話帳データを備えた携帯電話機としては、従来、電話帳データ毎に暗証番号を設定可能にして、電話帳データの秘密管理を可能にしたものが提案されている（例えば特許文献１参照）。
【特許文献１】特開２００１−３４５９２６号公報
【発明の開示】
【発明が解決しようとする課題】
【０００４】
しかしながら、上記従来の携帯電話機は、暗証番号を入力して電話帳データの秘密を利用可能にして、例えば発信を行う場合、秘密管理の対象とする電話番号が表示装置に表示されてしまう。表示装置に表示された電話番号は他人に容易に視認されるので、電話番号という個人的な情報の秘密保持が不十分であるという課題がある。また、電話帳データの閲覧や出力等を行う際、暗証番号を逐一入力する必要があり、電話帳データを利用し難いという問題がある。
【０００５】
そこで、本発明の課題は、秘密保持を確実に行うことができる上に、利用し易い電話帳データを備えた通信端末装置を提供することにある。
【課題を解決するための手段】
【０００６】
上記課題を解決するため、本発明の通信端末装置は、通信を行う通信部と、少なくとも名前と、電話番号と、表示制御情報とを有する電話帳データを記憶する記憶部と、情報を表示する表示部と、上記通信部が所定の電話番号の相手と通信を行う際、この電話番号に対応する表示制御情報が禁止に設定されている場合、この電話番号の上記表示部への表示を禁止する通信表示禁止制御を行う制御部とを備えることを特徴としている。
【０００７】
上記構成によれば、表示制御情報が禁止に設定された電話番号の相手と通信を行うとき、この電話番号が表示部に表示されることが防止される。したがって、表示部に表示された電話番号が他人に視認される不都合を防止できて、電話番号という個人的な情報の秘密保持を十分に行うことができる。
【０００８】
また、電話帳データの表示制御情報を予め禁止に設定しておくことにより、電話帳データを使用する度に暗証番号を入力しなくても、電話番号の表示部への表示が制御部によって防止される。したがって、効果的に秘密保持ができる上に、利用し易い電話帳データを備えた通信端末装置が得られる。
【０００９】
一実施形態の通信端末装置は、上記制御部は、上記通信部が上記所定の電話番号に発信する際、上記通信表示禁止制御を行う。
【００１０】
上記実施形態によれば、表示制御情報が禁止に設定されている電話番号の相手に発信を行う際、この電話番号が表示部に表示されることが防止される。したがって、発信時に通信相手の個人的な情報が漏洩する不都合を防止できる。
【００１１】
一実施形態の通信端末装置は、上記制御部は、上記通信部が上記所定の電話番号から着信する際、上記通信表示禁止制御を行う。
【００１２】
上記実施形態によれば、表示制御情報が禁止に設定されている電話番号の相手から着信する際、この電話番号が表示部に表示されることが防止される。したがって、着信時に通信相手の個人的な情報が漏洩する不都合を防止できる。
【００１３】
一実施形態の通信端末装置は、上記通信表示禁止制御を行う場合、電話番号が表示されないことを示す代替情報を上記表示部に表示させる。
【００１４】
上記実施形態によれば、代替情報を表示部に表示することにより、通信相手の表示制御情報が禁止に設定されていることを通知できる。ここで、上記代替情報は、例えば登録番号や、画像や、記号等によって使用者が通信相手を特定できる特定情報を含むのが好ましい。これにより、他人に通信相手を特定されずに、使用者のみが通信相手を特定できるので、更に高い秘密保持を行うことができる。なお、特定情報は、登録番号、画像及び記号以外の他の情報でもよく、要は、通信相手に対応付けられた情報であって、使用者のみが通信相手を特定できて、他人は通信相手を特定できない情報であればよい。
【００１５】
一実施形態の通信端末装置は、上記電話帳データの内容を編集する編集部を備え、上記制御部は、上記電話帳データの内容が編集部によって編集される際、この電話帳データの表示制御情報が禁止に設定されている場合、この電話帳データの電話番号の上記表示部への表示を禁止する。
【００１６】
上記実施形態によれば、表示制御情報が禁止に設定された電話帳データの内容を編集する際、この電話帳データの電話番号が表示部に表示されることが防止される。したがって、電話帳データの編集の際、表示部に表示された電話番号が他人に視認される不都合を防止できるので、個人的な情報の秘密保持を図ることができる。
【００１７】
一実施形態の通信端末装置は、上記制御部は、上記電話帳データの内容が編集部によって編集される際、この電話帳データの表示制御情報が禁止に設定されている場合、この電話帳データの電話番号の変更を禁止する。
【００１８】
上記実施形態によれば、表示制御情報が禁止に設定された電話帳データの内容を編集する際、この電話帳データの電話番号の変更が防止される。したがって、個人的な情報の改竄を防止できる。
【００１９】
一実施形態の通信端末装置は、上記制御部は、上記電話帳データの内容が編集部によって編集される際、この電話帳データの表示制御情報が禁止に設定されている場合、この電話帳データの名前が空白の状態で編集が終了することを禁止する。
【００２０】
上記実施形態によれば、表示制御情報が禁止に設定された電話帳データの内容を編集する際、電話帳データに名前の情報が確実に書き込まれる。したがって、通信等の際に電話番号と名前が表示されなくて通信相手の特定ができなくなるという不都合を防止できる。
【００２１】
一実施形態の通信端末装置は、上記制御部は、上記電話帳データの内容が編集部によって編集される際、この電話帳データの表示制御情報が禁止に設定されている場合、この電話帳データの電話番号の変更に伴って新たな電話帳データを生成し、この新たな電話帳データの表示制御情報が禁止に設定されている場合、この新たな電話帳データの名前が空白の状態で編集が終了することを禁止する。
【００２２】
上記実施形態によれば、表示制御情報が禁止に設定された電話帳データの内容を編集する際、電話番号の変更を行う場合は新たな電話帳データを生成するので、個人的な情報の改竄を防止できる。さらに、新たな電話帳データについて、表示制御情報が禁止に設定された場合、電話帳データに名前の情報が確実に書き込まれるので、通信等の際に電話番号と名前が表示されなくて通信相手の特定ができなくなるという不都合を防止できる。
【００２３】
一実施形態の通信端末装置は、上記電話帳データの内容を編集する編集部と、暗証番号を記憶する暗証番号記憶部と、暗証番号が入力される暗証番号入力部とを備え、上記制御部は、上記編集部で電話帳データの表示制御情報を変更する旨の指令を受けた際、上記暗証番号入力部への暗証番号の入力を促し、この暗証番号入力部に入力された暗証番号が上記暗証番号記憶部に予め記憶された暗証番号と一致しない場合、上記表示制御情報の変更を禁止する。
【００２４】
上記実施形態によれば、表示制御情報を禁止に設定することにより、通信等の際に個人的な情報が漏洩することを防止し、上記表示制御情報を暗証番号で保護する。したがって、通信等を行う毎に暗証番号を入力しなくても、少ない手間により、個人的な情報の保護を行うことができる。
【００２５】
一実施形態の通信端末装置は、上記電話帳データの内容を外部に出力する出力部を備え、上記電話帳データは出力制御情報を有し、上記制御部は、上記出力制御情報が禁止に設定されている場合、上記出力部による上記電話帳データの内容の外部への出力を禁止する。
【００２６】
上記実施形態によれば、電話帳データの出力制御情報を予め禁止に設定しておくことにより、電話帳データの内容が出力部によって外部に漏洩する不都合を防止できる。したがって、従来のように暗証番号を用いることなく、使い勝手を損ねることなく秘密保持を行うことができる。
【００２７】
一実施形態の通信端末装置は、使用者の少なくとも名前と電話番号とを有する自局データが記憶された自局データ記憶部と、上記自局データ記憶部に記憶された自局データに表示制御情報を付加し、この表示制御情報を禁止に設定して自局電話帳データを作成する自局電話帳データ作成部と、上記自局電話帳データの内容を外部に出力する自局データ出力部とを備える。
【００２８】
上記実施形態によれば、自局データ出力部によって自局電話帳データを例えば他の通信端末装置に出力することにより、自局の情報を他の通信端末装置に伝えることができる。ここで、自局電話帳データ作成部によって表示制御情報を予め禁止に設定できるので、出力先の他の通信端末装置において、通信等の際に表示部に自局の電話番号が表示されることを防止できる。したがって、他の通信端末装置において自局に関する情報の秘密保持を行うことができる。なお、自局電話帳データの出力先は、通信端末装置以外の装置であってもよく、表示制御情報に基づいて表示部の制御を行うことができる装置であればよい。
【００２９】
一実施形態の通信端末装置は、使用者の少なくとも名前と電話番号とを有する自局データが記憶された自局データ記憶部と、上記自局データ記憶部に記憶された自局データに出力制御情報を付加し、この出力制御情報を禁止に設定して自局電話帳データを作成する自局電話帳データ作成部と、上記自局電話帳データの内容を外部に出力する自局データ出力部とを備える。
【００３０】
上記実施形態によれば、自局データ出力部によって自局電話帳データを例えば他の通信端末装置に出力することにより、自局の情報を他の通信端末装置に伝えることができる。ここで、自局電話帳データ作成部によって出力制御情報を予め禁止に設定できるので、出力先の他の通信端末装置において、自局に関する電話帳データが更に他の通信端末等に出力されることが防止できる。したがって、他の通信端末装置において自局に関する情報の秘密保持を行うことができる。なお、自局電話帳データの出力先は、通信端末装置以外の装置であってもよく、出力制御情報に基づいて電話帳データの出力制御を行うことができる装置であればよい。
【発明の効果】
【００３１】
本発明の通信端末装置は、通信部で所定の電話番号の相手と通信を行う際、この電話番号に対応する電話帳データの表示制御情報が禁止に設定されている場合、この電話番号を表示部に表示することを制御部が禁止するので、表示部に表示された電話番号が他人に視認される不都合を防止できて、電話番号という個人的な情報の秘密保持を十分に行うことができる。
【００３２】
また、電話帳データの表示制御情報を予め禁止に設定しておくことにより、電話帳データを使用する度に暗証番号を入力しなくても、電話番号の表示部への表示が制御部によって防止される。したがって、効果的に秘密保持ができる上に、利用し易い電話帳データを備えた通信端末装置が得られる。
【発明を実施するための最良の形態】
【００３３】
以下、本発明の実施形態の通信端末装置を、図面を参照しつつ詳細に説明する。
【００３４】
図１は、本実施形態の通信端末装置としての携帯電話機１を示す模式図である。この携帯電話機１は、ＲＡＭ（ランダムアクセスメモリ）やフラッシュＲＯＭ（リードオンリーメモリ）で形成される記憶部１０１と、マイクロプロセッサで形成される制御部１０５と、無線による通信を行う無線部１０６と、アンテナ１０７と、液晶表示装置等で形成される表示部１０８と、ユーザーによって操作されて各種の情報や指令が入力される操作部１０９と、主に通話の際に音声の入出力を行う音声入出力部１１０を備える。さらに、この携帯電話機１は、シリアルケーブル等による有線接続や、赤外線等による無線接続によって電話帳データの通信を行うデータ通信部１１１を備え、このデータ通信部１１１を介して外部機器２に接続されるようになっている。データ通信部１１１が、本発明の出力部及び自局データ出力部として機能する。また、外部機器２は、例えば携帯電話機やパーソナルコンピュータ等であり、携帯電話機１から出力された電話帳データ１０３の表示制御情報や出力制御情報に基づいて処理を行うことができれば、どのような装置でもよい。
【００３５】
上記記憶部１０１には、電話帳データ１０３を記憶する電話帳メモリ１０２が設けられている。この電話帳メモリ１０２に記憶される電話帳データ１０３は、登録番号、名前、電話番号、表示制御情報、出力制御情報及び暗証番号を格納するようになっている。この電話帳データ１０３の暗証番号の格納領域が、暗証番号記憶部として機能する。また、記憶部１０１には、自局データ１０４を記憶する自局データ領域が設定されており、この自局データ１０４は使用者の名前と電話番号で構成されている。この記憶部１０１の自局データ領域が、本発明の自局データ記憶部として機能する。さらに、記憶部１０１の制御回路が、本発明の編集部として機能する。
【００３６】
また、上記記憶部１０１には、制御部１０５が実行する制御プログラムが記憶されており、このプログラムに従って制御部１０５が各部の制御を実行して、携帯電話機１が所定の動作を行うようになっている。以下、制御部１０５に制御されて実行される各動作について、フローチャートを用いて詳細に説明する。
【００３７】
図２は、本実施形態の携帯電話機１が電話帳データを利用して発信動作を行う際に実行される処理を示すフローチャートである。
【００３８】
まず、操作者の操作部１０９への入力に基づいて、所定の電話帳データ１０３を選択し（ステップＳ２０１）、この電話帳データ１０３を利用して発信動作を行うのか否かを判定する（ステップＳ２０２）。操作者の入力が発信動作を指令する内容でない場合は、ステップＳ２０１の電話帳データ１０３の選択処理に戻る。操作者の入力が発信動作を指令する内容である場合、電話帳データ１０３の表示制御情報が禁止に設定されているか否かを判定する（ステップＳ２０３）。表示制御情報が禁止に設定されている場合、電話帳データ１０３に名前が登録されているか否かを判定する（ステップＳ２０４）。電話帳データ１０３に名前が登録されている場合は、表示部１０８に、登録番号と、名前と、電話番号に代わる代替情報を表示させる（ステップＳ２０５）。この代替情報としては、例えば、数字を「＊」記号に置き換えたものを採用することができる。また、表示部１０８に名前を表示しないで、使用者のみが通信相手を特定可能な記号や画像で形成された特定情報を含む代替情報を表示してもよい。特定情報を含む代替情報を表示することにより、電話番号のみでなく、名前に関しても秘密保持を図ることができる。この代替情報の表示を行った後、無線部１０６による発信処理を行う（ステップＳ２１０）。
【００３９】
上記ステップＳ２０４において、電話帳データ１０３に名前が登録されていない場合は、登録番号と、電話番号の代替情報とを表示部１０８に表示させ（ステップＳ２０６）、発信処理を行う（ステップＳ２１０）。
【００４０】
上記ステップＳ２０３において、表示制御情報が禁止に設定されていない場合は、電話帳データ１０３に名前が登録されているか否かの判定を行い（ステップＳ２０７）、電話帳データ１０３に名前が登録されている場合は、登録番号と、名前と、電話番号を表示部１０８に表示させて（ステップＳ２０８）、発信処理を行う（ステップＳ２１０）。
【００４１】
上記ステップＳ２０７において、電話帳データ１０３に名前が登録されていない場合は、登録番号と、電話番号とを表示部１０８に表示させ（ステップＳ２０９）、発信処理を行う（ステップＳ２１０）。
【００４２】
以上のように、携帯電話機１で電話帳データ１０３を利用して発信を行う際、電話帳データ１０３の表示制御情報が禁止に設定されている場合、電話番号を表示部１０８に表示しないように制御できる。したがって、携帯電話機１の発信時に、表示部１０８が他人に視認されて、個人的な情報である電話番号が他人に漏洩するという不都合を防止できる。
【００４３】
図３は、本実施形態の携帯電話機１が着信動作を行う際に実行される処理を示すフローチャートである。
【００４４】
まず、無線部１０６に着信があるか否かを判定し（ステップＳ３０１）、着信が無い場合は、この着信の判定処理を繰り返す。
【００４５】
無線部１０６に着信があると判定された場合、無線部１０６が検出した着信電話番号と、電話帳メモリ１０２に記憶されている電話帳データ１０３の電話番号の比較を行う（ステップＳ３０２）。着信電話番号と一致する電話番号が電話帳データ１０３に無い場合、無線部１０６による着信処理を行う（ステップＳ３１０）。
【００４６】
上記ステップＳ３０２において、着信電話番号と一致する電話番号が電話帳データ１０３に有る場合、電話帳データ１０３の表示制御情報の設定内容が禁止か否かを判定し（ステップＳ３０３）、表示制御情報が禁止に設定されている場合は、電話帳データ１０３に名前が登録されているか否かを判定する（ステップＳ３０４）。電話帳データ１０３に名前が登録されている場合は、着信相手の登録番号と名前を表示部１０８に表示させて（ステップＳ３０５）、無線部１０６による着信処理を行う（ステップＳ３１０）。
【００４７】
上記ステップＳ３０４において、電話帳データ１０３に名前が登録されていない場合は、表示部１０８に登録番号を表示させて（ステップＳ３０６）、無線部１０６による着信処理を行う（ステップＳ３１０）。
【００４８】
上記ステップＳ３０３において、電話帳データ１０３の表示制御情報が許可に設定されている場合は、電話帳データ１０３に名前が登録されているか否かを判定し（ステップＳ３０７）、名前が登録されている場合は、表示部１０８に登録番号と名前と電話番号を表示させて（ステップＳ３０８）、無線部１０６による着信処理を行う（ステップＳ３１０）。
【００４９】
上記ステップＳ３０７において、電話帳データ１０３に名前が登録されていない場合は、表示部１０８に登録番号と電話番号を表示させて（ステップＳ３０９）、無線部１０６による着信処理を行う（ステップＳ３１０）。
【００５０】
以上のように、携帯電話機１が着信する際、相手の電話番号に対応する電話帳データ１０３の表示制御情報が禁止に設定されている場合、電話番号を表示部１０８に表示しないように制御できる。したがって、携帯電話機１の着信時に、表示部１０８が他人に視認されて、個人的な情報である電話番号が他人に知られる不都合を防止できる。
【００５１】
図４は、本実施形態の携帯電話機１において、電話帳メモリ１０２に記憶された電話帳データ１０３の編集を行う際に実行される処理を示すフローチャートである。
【００５２】
まず、操作者の操作部１０９への入力に基づいて電話帳データ１０３の編集が開始され、この編集動作中に、操作部１０９に電話番号の編集指令があるか否かを判定する（ステップＳ４０１）。電話番号の編集指令が無い場合は、後述するステップＳ４０６に移行する。
【００５３】
上記ステップＳ４０１において、電話番号の編集指令が有る場合は、電話帳データ１０３の表示制御情報が禁止に設定されているか否かを判定し（ステップＳ４０２）、表示制御情報が禁止に設定されている場合は、電話番号の新規入力を操作者に促す新規入力処理を行う（ステップＳ４０５）。この新規入力処理において、同時に表示制御情報を許可に設定してもよい。
【００５４】
上記ステップＳ４０２において、表示制御情報が許可に設定されている場合は、この電話帳データ１０３の電話番号を表示部１０８に表示し（ステップＳ４０３）、引き続いて、電話番号の編集入力を受け付ける電話番号編集入力処理を行い（ステップＳ４０４）、この後、ステップＳ４０６に移行する。
【００５５】
ステップＳ４０６では、電話帳データ１０３の編集動作中に、操作部１０９に名前の編集指令があるか否かを判定し、名前の編集指令が無い場合は一連のフローを終了する。
【００５６】
ステップＳ４０６において、名前の編集指令がある場合は、表示部１０８に名前の表示（ステップＳ４０７）を行い、その後、名前の編集入力を受け付ける名前編集入力処理を行い（ステップＳ４０８）、その後、電話帳データ１０３の表示制御情報が禁止に設定されているか否かを判定し（ステップ４０９）、表示制御情報が許可に設定されている場合は、一連のフローを終了する。
【００５７】
上記ステップＳ４０９において、表示制御情報が禁止に設定されている場合は、電話帳データ１０３に名前が空白であるか否かの判定を行い（ステップＳ４１０）、空白である場合は名前編集入力処理（ステップＳ４０８）に戻る。
【００５８】
以上のように、電話帳データ１０３の編集を行う際、電話帳データ１０３の表示制御情報が禁止に設定されている場合、表示部１０８への電話番号の表示を防止するので、個人的な情報である電話番号の漏洩を防止して秘密保持を行うことができる。また、電話帳データ１０３の名前を編集する際、電話帳データ１０３の表示制御情報が禁止に設定されている場合、名前が空白の状態で編集が終了することを防止する。したがって、通信等の際に、電話番号も名前も表示されなくて、通信等の対象が特定不可能となる不都合を防止できる。
【００５９】
なお、上述した新規入力処理により電話帳データが作成される際には、表示制御情報を許可とするか禁止とするかを、任意に選択可能であるようにしてもよい。そして禁止とされた場合であって名前の編集もなされる場合には、名前が空白の状態で編集が終了することを防止するようにすればよい。
【００６０】
図５は、本実施形態の携帯電話機１において、電話帳メモリ１０２に記憶された電話帳データ１０３のうち、表示制御情報の編集を行う際に実行される処理を示すフローチャートである。
【００６１】
まず、操作者の操作部１０９への入力に基づいて、電話帳データ１０３の編集動作中に表示制御情報の編集指令があるか否かの判定を行い（ステップＳ５０１）、編集指令が無い場合は一連のフローを終了する。
【００６２】
上記ステップＳ５０１において、表示制御情報の編集指令がある場合、暗証番号の入力を要求する表示を表示部１０８に表示し（ステップＳ５０２）、操作者によって操作部１０９に暗証番号が入力されると、この暗証番号が電話帳データ１０３に登録されている暗証番号と一致するか否かを判定する（ステップＳ５０３）。ここで、操作部１０９が暗証番号入力部として機能する。入力された暗証番号が、電話帳データ１０３に登録されている暗証番号と一致する場合は、操作部１０９への入力に基づいて表示制御情報の編集を行う（ステップ５０４）。上記ステップＳ５０３において、入力された暗証番号が登録されている暗証番号と一致しない場合は、上記ステップＳ５０２の暗証番号入力処理に戻る。
【００６３】
以上のように、暗証番号の照会は表示制御情報の編集の際に行うのみであり、通常の通信の際や、電話帳データ１０３の編集を行う際には、表示制御情報が禁止に設定されていれば表示部への表示を防止できるので、簡易な操作によって個人的な情報の漏洩を防止できる。
【００６４】
図６は、本実施形態の携帯電話機１において、電話帳データ１０３や自局データ１０４を外部機器２に出力する際に実行される処理を示すフローチャートである。
【００６５】
まず、操作者の操作部１０９への入力に基づいて、電話帳データ１０３又は自局データ１０４の外部出力指令を検出すると（ステップＳ６０１）、この指令内容が電話帳データ１０３の出力であるのか、あるいは、自局データ１０４の出力であるのかを判定する（ステップＳ６０２）。指令内容が電話帳データ１０３の出力である場合、出力すべき電話帳データ１０３を指定する入力を受ける（ステップＳ６０３）。この指定された電話帳データ１０３の出力制御情報の内容を判定し（ステップＳ６０４）、この出力制御情報が禁止に設定されている場合、一連のフローを終了する。
【００６６】
指定された電話帳データ１０３の出力制御情報の内容を判定し（ステップＳ６０４）、この出力制御情報が許可に設定されている場合、電話帳データ１０３の出力処理が行われ、データ通信部１１１を経由して電話帳データ１０３が外部機器２に出力される（ステップＳ６０８）。
【００６７】
上記ステップＳ６０２において、指令内容が自局データ１０４の出力である場合、自局データ１０４を電話帳データ１０３のフォーマットに変換する処理を行い（ステップＳ６０５）、変換した電話帳データ１０３の表示制御情報を禁止に設定し（ステップＳ６０６）、さらに、変換した電話帳データ１０３の出力制御情報を禁止に設定し（ステップＳ６０７）、電話帳データ１０３の出力処理（ステップ６０８）を行う。ここで、制御部１０５が自局電話帳データ作成部として機能する。
【００６８】
以上のように、電話帳データ１０３を出力する場合、出力制御情報を予め禁止に設定しておくことにより、電話帳データ１０３の出力を禁止して情報の漏洩を防止できる。また、自局データ１０４を出力する場合、表示制御情報を禁止に設定し、また、出力制御情報を禁止に設定して出力するので、出力先である外部機器２から自局の情報が漏洩する不都合を防止できる。
【００６９】
上記実施形態において、携帯電話機１に本発明を適用したが、本発明は、他の通信端末装置に広く適用することができる。
【図面の簡単な説明】
【００７０】
【図１】本実施形態の通信端末装置としての携帯電話機を示す模式図である。
【図２】携帯電話機の発信動作の際に実行される処理を示すフローチャートである。
【図３】携帯電話機の着信動作の際に実行される処理を示すフローチャートである。
【図４】電話帳データを編集する際に実行される処理を示すフローチャートである。
【図５】電話帳データの表示制御情報を編集する際に実行される処理を示すフローチャートである。
【図６】電話帳データや自局データを外部機器に出力する際に実行される処理を示すフローチャートである。
【符号の説明】
【００７１】
１  携帯電話機
２  外部機器
１０１  記憶部
１０２  電話帳メモリ
１０３  電話帳データ
１０４  自局データ
１０５  制御部
１０６  無線部
１０７  アンテナ
１０８  表示部
１０９  操作部
１１０  音声入出力部
１１１  データ通信部
【図１】
2008148079.tif 000003
【図２】
2008148079.tif 000004
【図３】
2008148079.tif 000005
【図４】
2008148079.tif 000006
【図５】
2008148079.tif 000007
【図６】
2008148079.tif 000008
【手続補正書】
【提出日】平成19年12月5日(2007.12.5)
【手続補正１】
【補正対象書類名】特許請求の範囲
【補正対象項目名】全文
【補正方法】変更
【補正の内容】
【特許請求の範囲】
【請求項１】
通信を行う通信部と、
少なくとも名前と、電話番号と、表示制御情報とを有する電話帳データを記憶する記憶部と、
情報を表示する表示部と、
上記電話帳データの内容を編集する編集部と、
上記通信部が所定の電話番号の相手と通信を行う際、この電話番号に対応する表示制御情報が禁止に設定されている場合、この電話番号の上記表示部への表示を禁止する通信表示禁止制御を行う制御部と、を備え、
上記制御部は、
上記電話帳データの内容が編集部によって編集される際、この電話帳データの表示制御情報が禁止に設定されている場合、この電話帳データの電話番号の上記表示部への表示を禁止することを特徴とする通信端末装置。
【請求項２】
上記制御部は、
上記電話帳データの内容が編集部によって編集される際、この電話帳データの表示制御情報が禁止に設定されている場合、この電話帳データの電話番号の変更を禁止することを特徴とする請求項１に記載の通信端末装置。
【請求項３】
上記制御部は、
上記電話帳データの内容が編集部によって編集される際、この電話帳データの表示制御情報が禁止に設定されている場合、この電話帳データの名前が空白の状態で編集が終了することを禁止することを特徴とする請求項１に記載の通信端末装置。
【請求項４】
上記制御部は、
上記電話帳データの内容が編集部によって編集される際、
この電話帳データの表示制御情報が禁止に設定されている場合、この電話帳データの電話番号の変更に伴って新たな電話帳データを生成し、
この新たな電話帳データの表示制御情報が禁止に設定されている場合、この新たな電話帳データの名前が空白の状態で編集が終了することを禁止することを特徴とする請求項１に記載の通信端末装置。
【請求項５】
暗証番号を記憶する暗証番号記憶部と、
暗証番号が入力される暗証番号入力部と、を備え、
上記制御部は、
上記編集部で電話帳データの表示制御情報を変更する旨の指令を受けた際、上記暗証番号入力部への暗証番号の入力を促し、この暗証番号入力部に入力された暗証番号が上記暗証番号記憶部に予め記憶された暗証番号と一致しない場合、上記表示制御情報の変更を禁止することを特徴とする請求項１に記載の通信端末装置。
【請求項６】
上記電話帳データの内容を外部に出力する出力部を備え、
上記電話帳データは出力制御情報を有し、
上記制御部は、
上記出力制御情報が禁止に設定されている場合、上記出力部による上記電話帳データの内容の外部への出力を禁止することを特徴とする請求項１に記載の通信端末装置。
【請求項７】
使用者の少なくとも名前と電話番号とを有する自局データが記憶された自局データ記憶部と、
上記自局データ記憶部に記憶された自局データに表示制御情報を付加し、この表示制御情報を禁止に設定して自局電話帳データを作成する自局電話帳データ作成部と、
上記自局電話帳データの内容を外部に出力する自局データ出力部と、
を備えることを特徴とする請求項１に記載の通信端末装置。
【請求項８】
使用者の少なくとも名前と電話番号とを有する自局データが記憶された自局データ記憶部と、
上記自局データ記憶部に記憶された自局データに出力制御情報を付加し、この出力制御情報を禁止に設定して自局電話帳データを作成する自局電話帳データ作成部と、
上記自局電話帳データの内容を外部に出力する自局データ出力部と、
を備えることを特徴とする請求項６に記載の通信端末装置。
【手続補正書】
【提出日】平成20年1月31日(2008.1.31)
【手続補正１】
【補正対象書類名】特許請求の範囲
【補正対象項目名】全文
【補正方法】変更
【補正の内容】
【特許請求の範囲】
【請求項１】
通信を行う通信部と、
少なくとも名前と、電話番号と、表示制御情報とを有する電話帳データを記憶する記憶部と、
情報を表示する表示部と、
上記電話帳データの内容を編集する編集部と、
上記通信部が所定の電話番号の相手と通信を行う際、この電話番号に対応する表示制御情報が禁止に設定されている場合、この電話番号の上記表示部への表示を禁止する通信表示禁止制御を行う制御部と、を備え、
上記制御部は、
上記電話帳データの内容が編集部によって編集される際、この電話帳データの表示制御情報が禁止に設定されている場合、この電話帳データの電話番号の上記表示部への表示を禁止するものであって、
更に、
上記電話帳データの内容を外部に出力する出力部を備え、
上記電話帳データは出力制御情報を有し、
上記制御部は、
上記出力制御情報が禁止に設定されている場合、上記出力部による上記電話帳データの内容の外部への出力を禁止するものであり、
更に、
使用者の少なくとも名前と電話番号とを有する自局データが記憶された自局データ記憶部と、
該自局データの外部出力指令がなされたことに応じて、上記自局データ記憶部に記憶された自局データに出力制御情報を付加し、この出力制御情報を禁止に設定して自局電話帳データを作成する自局電話帳データ作成部と、
上記自局電話帳データの内容を外部に出力する自局データ出力部と、
を備えることを特徴とする通信端末装置。
【請求項２】
通信を行う通信部と、
少なくとも名前と、電話番号と、表示制御情報とを有する電話帳データを記憶する記憶部と、
情報を表示する表示部と、
上記電話帳データの内容を編集する編集部と、
上記通信部が所定の電話番号の相手と通信を行う際、この電話番号に対応する表示制御情報が禁止に設定されている場合、この電話番号の上記表示部への表示を禁止する通信表示禁止制御を行う制御部と、を備え、
上記制御部は、
上記電話帳データの内容が編集部によって編集される際、この電話帳データの表示制御情報が禁止に設定されている場合、この電話帳データの電話番号の上記表示部への表示を禁止するものであって、
更に、
使用者の少なくとも名前と電話番号とを有する自局データが記憶された自局データ記憶部と、
該自局データの外部出力指令がなされたことに応じて、上記自局データ記憶部に記憶された自局データに表示制御情報を付加し、この表示制御情報を禁止に設定して自局電話帳データを作成する自局電話帳データ作成部と、
上記自局電話帳データの内容を外部に出力する自局データ出力部と、
を備えることを特徴とする通信端末装置。